(57)【要約】【課題】スライド部材を、定型サイズおよびフリーサイズの用紙に対応した位置で選択的に係止し、他の用紙サイズに対応する位置で誤って係止されることを回避すること。【解決手段】第１スライド部材２４は第１方向に沿ってスライド可能である。第１係止配列部８１は、前記第１方向に沿って一定ピッチで連続して形成された複数の第１係止部８１０からなる。第２係止配列部８２は、前記第１方向に沿って所定の用紙サイズ規格に対応する位置に並ぶ複数の第２係止部８２０からなる。第２スライド部材５は、前記第１スライド部材２４に対し、前記第１方向に直交する第２方向に沿ってスライド可能に取り付けられている。被係止部材６は、前記第２スライド部材５に対し、係止位置と退避位置との間で変位可能に取り付けられている。変位機構７は、操作部７１２の変位に応じて前記被係止部材６を前記係止位置および前記退避位置の一方から他方へ変位させる。【選択図】図１
2020040737.tif 000002
【特許請求の範囲】
【請求項１】
用紙を収容する用紙収容部と、
前記用紙収容部に対し、前記用紙収容部の底部上で第１方向に沿ってスライド可能に取り付けられ、前記底部に沿う基部および前記基部から起立した壁部を有し、前記壁部における前記用紙の端に対向する対向面が前記用紙の前記第１方向の移動を制限する第１スライド部材と、
前記用紙収容部の前記底部における、前記第１方向に直交する第２方向の予め定められた位置に設けられ、前記第１方向に沿って一定ピッチで連続して形成された複数の第１係止部からなる第１係止配列部と、
前記用紙収容部の前記底部における、前記第２方向において前記第１係止配列部の位置とは異なる位置に設けられ、前記第１方向に沿って所定の用紙サイズ規格に対応する位置に並ぶ複数の第２係止部からなる１つ以上の第２係止配列部と、
前記第１スライド部材に対し、前記第２方向に沿って前記第１係止配列部の位置および前記第２係止配列部の位置を含む範囲でスライド可能に取り付けられた第２スライド部材と、
前記第２スライド部材に対し、前記第１係止部または前記第２係止部に係止される係止位置と、前記第１係止部および前記第２係止部から上方へ離隔する退避位置と、の間で変位可能に取り付けられた被係止部材と、
前記第１スライド部材に取り付けられ、人に操作されることによって変位する操作部を有し、前記操作部の変位に応じて前記被係止部材を前記係止位置および前記退避位置の一方から他方へ変位させる変位機構と、を備える用紙供給ユニット。
【請求項２】
前記変位機構は、
前記操作部を含み、前記第１スライド部材の前記壁部における前記対向面の反対側の外側面に揺動可能に取り付けられ、揺動することによって前記操作部が前記外側面から離れた第１位置と前記第１位置よりも前記外側面に近づく第２位置との間で変位する揺動部材と、
前記操作部を前記第２位置へ変位させる力が前記操作部に加わることによる前記揺動部材の揺動に応じて、前記被係止部材を前記係止位置から前記退避位置へ変位させるリンク機構と、を備える、請求項１に記載の用紙供給ユニット。
【請求項３】
前記リンク機構は、
前記被係止部材に対して前記係止位置から前記退避位置へ向かう方向へ弾性力を加える弾性部材と、
前記揺動部材の一部であり、前記被係止部材に当接することにより前記弾性部材の弾性力に抗して前記被係止部材の変位を制限する変位制限部と、を備え、
前記変位制限部は、前記操作部が前記第１位置に位置するときに前記被係止部を前記係止位置に保持し、前記操作部が前記第２位置に位置するときに前記被係止部の前記退避位置への変位を許容する、請求項２に記載の用紙供給ユニット。
【請求項４】
請求項１から請求項３のいずれか１項に記載の用紙供給ユニットと、
前記用紙供給ユニットから前記用紙を送り出し、搬送する用紙搬送機構と、
前記用紙搬送機構により搬送される前記用紙に画像を形成するプリント装置と、を備える画像形成装置。
【発明の詳細な説明】
【技術分野】
【０００１】
本発明は、用紙供給ユニット、画像形成装置に関する。
【背景技術】
【０００２】
一般に、画像形成装置は、給紙カセットまたは手差し給紙トレイなどの用紙供給ユニットを備える。前記用紙供給ユニットは、用紙を収容する用紙収容部と、前記用紙収容部内の前記用紙の幅方向の移動を制限する壁部を有するスライド部材と、を備える。
【０００３】
前記スライド部材は、前記用紙収容部に対し、前記用紙収容部の底部上で前記幅方向に沿ってスライド可能に取り付けられ、前記壁部は、前記用紙収容部の前記底部側から起立した部分である。前記壁部における前記用紙の端に対向する面が前記用紙の前記幅方向の移動を制限する。
【０００４】
前記スライド部材が、前記用紙のサイズに対応した適切な位置で係止されることにより、前記用紙の斜行、または、前記用紙の位置ずれなどの用紙搬送の不良が回避される。
【０００５】
前記用紙供給ユニットにおいて、日本工業規格の用紙サイズ規格に対応する複数のセンチ系係止部が、前記スライド部材を前記幅方向に沿って案内する溝の一方の側に設けられ、米国国家規格協会の規格における用紙サイズ規格に対応する複数のインチ系係止部が、前記溝の他方の側に設けられることが知られている（例えば、特許文献１参照）。
【０００６】
上記の場合、前記センチ系係止部または前記インチ系係止部が、前記スライド部材を係止する。これにより、所定の用紙サイズ規格に対応する定型サイズの前記用紙が用いられる場合に、前記用紙搬送の不良が回避される。
【先行技術文献】
【特許文献】
【０００７】
【特許文献１】特開２００５−４７６８４号公報
【発明の概要】
【発明が解決しようとする課題】
【０００８】
ところで、前記定型サイズの用紙、および、特定の用紙サイズ規格に対応していないフリーサイズの用紙のいずれが用いられる場合でも、前記スライド部材が、前記用紙収容部に収容された前記用紙のサイズに応じた適切な位置で係止されることが望ましい。
【０００９】
さらに、前記スライド部材が、前記用紙収容部に収容された前記用紙のサイズに近似する他の用紙サイズに対応する位置で誤って係止されることを回避できることが望ましい。
【００１０】
本発明の目的は、用紙の移動を制限するスライド部材を、定型サイズの用紙およびフリーサイズの用紙に対応した位置で選択的に係止することができ、さらに、前記スライド部材が前記用紙のサイズに近似する他の用紙サイズに対応する位置で誤って係止されることを回避できる用紙供給ユニットおよびそれを備える画像形成装置を提供することにある。
【課題を解決するための手段】
【００１１】
本発明の一の局面に係る用紙供給ユニットは、用紙収容部と、第１スライド部材と、第１係止配列部と、１つ以上の第２係止配列部と、第２スライド部材と、被係止部材と、変位機構と、を備える。前記用紙収容部は、用紙を収容する部分である。前記第１スライド部材は、前記用紙収容部に対し、前記用紙収容部の底部上で第１方向に沿ってスライド可能に取り付けられ、前記底部に沿う基部および前記基部から起立した壁部を有する。前記壁部における前記用紙の端に対向する対向面が前記用紙の前記第１方向の移動を制限する。前記第１係止配列部は、前記用紙収容部の前記底部における、前記第１方向に直交する第２方向の予め定められた位置に設けられ、前記第１方向に沿って一定ピッチで連続して形成された複数の第１係止部からなる。前記第２係止配列部は、前記用紙収容部の前記底部における、前記第２方向において前記第１係止配列部の位置とは異なる位置に設けられ、前記第１方向に沿って所定の用紙サイズ規格に対応する位置に並ぶ複数の第２係止部からなる。前記第２スライド部材は、前記第１スライド部材に対し、前記第２方向に沿って前記第１係止配列部の位置および前記第２係止配列部の位置を含む範囲でスライド可能に取り付けられている。前記被係止部材は、前記第２スライド部材に対し、前記第１係止部または前記第２係止部に係止される係止位置と、前記第１係止部および前記第２係止部から上方へ離隔する退避位置と、の間で変位可能に取り付けられている。前記変位機構は、前記第１スライド部材に取り付けられ、人に操作されることによって変位する操作部を有し、前記操作部の変位に応じて前記被係止部材を前記係止位置および前記退避位置の一方から他方へ変位させる。
【００１２】
本発明の他の局面に係る画像形成装置は、前記用紙供給ユニットと、用紙搬送機構と、プリント装置と、を備える。前記用紙搬送機構は、前記用紙供給ユニットから前記用紙を送り出し、搬送する。前記プリント装置は、前記用紙搬送機構により搬送される前記用紙に画像を形成する。
【発明の効果】
【００１３】
本発明によれば、用紙の移動を制限するスライド部材を、定型サイズの用紙およびフリーサイズの用紙に対応した位置で選択的に係止することができ、さらに、前記スライド部材が前記用紙のサイズに近似する他の用紙サイズに対応する位置で誤って係止されることを回避できる用紙供給ユニットおよびそれを備える画像形成装置を提供することが可能になる。
【図面の簡単な説明】
【００１４】
【図１】図１は、本発明の実施形態に係る用紙供給ユニットを備える画像形成装置の構成図である。
【図２】図２は、本発明の実施形態に係る用紙供給ユニットの斜視図である。
【図３】図３は、本発明の実施形態に係る用紙供給ユニットが備えるサイドカーソルユニットの斜視図である。
【図４】図４は、本発明の実施形態に係る用紙供給ユニットが備えるサイドカーソルユニットの第１の断面図である（被係止ピンが係止位置にある状態）。
【図５】図５は、本発明の実施形態に係る用紙供給ユニットが備える被係止ピンの斜視図である。
【図６】図６は、本発明の実施形態に係る用紙供給ユニットが備える係止部配列板の平面図である。
【図７】図７は、本発明の実施形態に係る用紙供給ユニットにおける第１係止配列部および被係止ピンの第１の断面図である（被係止ピンが係止位置にある状態）。
【図８】図８は、本発明の実施形態に係る用紙供給ユニットが備えるサイドカーソルユニットの第２の断面図である（被係止ピンが退避位置にある状態）。
【図９】図９は、本発明の実施形態に係る用紙供給ユニットにおける第１係止配列部および被係止ピンの第２の断面図である（被係止ピンが退避位置にある状態）。
【図１０】図１０は、本発明の実施形態に係る用紙供給ユニットにおける第１係止配列部および被係止ピンの第３の断面図である（被係止ピンがピン案内部に挿入された状態）。
【発明を実施するための形態】
【００１５】
以下、図面を参照しながら、本発明の実施形態について説明する。なお、以下の実施形態は、本発明を具体化した一例であって、本発明の技術的範囲を限定するものではない。
【００１６】
［画像形成装置１０の構成］
本発明の実施形態に係る用紙供給ユニット２は、画像形成装置１０の構成要素の１つである（図１参照）。
【００１７】
用紙供給ユニット２は、１枚以上の用紙９を収容する用紙収容部２０と、用紙収容部２０内の用紙９を位置決めする機構とを備える。用紙収容部２０は、複数の用紙９を積載状態で収容する。
【００１８】
図１に示されるように、画像形成装置１０は、１つ以上の用紙供給ユニット２と、用紙搬送機構３と、プリント装置４０とを備える。図１に示される例では、画像形成装置１０は、複数の用紙供給ユニット２を備える。
【００１９】
用紙搬送機構３は、用紙供給ユニット２から用紙９を送り出し、さらに、用紙搬送路３０に沿って用紙９を搬送する。プリント装置４０は、用紙搬送機構３により搬送される用紙９に画像を形成するプリント処理を実行する。
【００２０】
例えば、画像形成装置１０は、プリンター、複写機または複写機能およびファクシミリ通信装置能を有する複合機などである。
【００２１】
図１に示される例において、画像形成装置１０は、原稿９０から画像を読み取る画像読取処理を実行する画像読取装置１も備える。
【００２２】
例えば、用紙供給ユニット２各々は、画像形成装置１０の本体部１００に対して引き出し可能に装着される。一般に、このような用紙供給ユニット２は、給紙カセットと称される。
【００２３】
用紙搬送機構３は、複数の用紙供給ユニット２のいずれかから用紙９を用紙搬送路３０へ送り出し、さらに、用紙９を用紙搬送路３０に沿って搬送する。
【００２４】
図１に示される例において、プリント装置４０は、電子写真方式で前記プリント処理を実行する。そのため、プリント装置４０は、作像装置４、転写装置４４および定着装置４５を備える。
【００２５】
作像装置４において、帯電装置４２が、感光体４１の表面を帯電させ、光走査ユニット４６が、帯電した感光体４１の表面に静電潜像を書き込み、現像装置４３が、感光体４１上の前記静電潜像を前記トナー像へ現像する。
【００２６】
転写装置４４は、感光体４１の表面の前記トナー像を、用紙搬送路３０に沿って搬送される用紙９に転写する。定着装置４５は、用紙９上の前記トナー像を加熱し、加圧することにより、前記トナー像を用紙９に定着させる。
【００２７】
図１に示されるプリント装置４０は、タンデム方式でカラー画像の前記プリント処理を実行可能である。そのため、プリント装置４０は、それぞれ異なる色のトナーに対応する４つの作像装置４を備える。
【００２８】
転写装置４４は、４つの感光体４１の表面から４色の前記トナー像を重ねて用紙９に転写する。
【００２９】
なお、プリント装置４０が、インクジェット方式など、前記電子写真方式以外の方式で前記プリント処理を実行する装置であることも考えられる。
【００３０】
図２に示されるように、用紙供給ユニット２においては、用紙収容部２０は、底板部２１および４つの側壁部２２を有する。なお、底板部２１は、用紙収容部２０の底部である。
【００３１】
用紙収容部２０には、第１サイドガイド部材２４、第２サイドガイド部材２５および後端ストッパー２６が取り付けられている。
【００３２】
以下の説明において、用紙収容部２０からの用紙９の送り出し方向に直交し、底板部２１に沿う方向のことを第１方向Ｄ１と称する。また、第１方向Ｄ１に直交する方向のことを第２方向Ｄ２と称する。第１方向Ｄ１は、用紙９の幅方向である。
【００３３】
第１サイドガイド部材２４および第２サイドガイド部材２５は、用紙収容部２０対し、底板部２１上で第１方向Ｄ１に沿ってスライド可能に取り付けられている。なお、第１サイドガイド部材２４が第１スライド部材の一例である。
【００３４】
図２，３に示されるように、第１サイドガイド部材２４は、底板部２１の上面に沿う第１基部２４１と、第１基部２４１から起立した第１壁部２４２とを有する。即ち、第１壁部２４２は、底板部２１側から起立している。
【００３５】
第１壁部２４２における用紙９の第１の側端に対向する対向面２４２１が用紙９の第１方向Ｄ１の移動を制限する。以下の説明において、第１壁部２４２における対向面２４２１の反対側の面のことを外側面２４２２と称する。
【００３６】
同様に、第２サイドガイド部材２５も、底板部２１の上面に沿う第２基部２５１と、第２基部２５１から起立した第２壁部２５２とを有する。
【００３７】
第２壁部２５２における用紙９の第２の側端に対向する対向面２５２１が用紙９の第１方向Ｄ１の移動を制限する。なお、用紙収容部２０に収容された用紙９の第１方向Ｄ１の両端の一方が前記第１の側端であり、他方が前記第２の側端である。
【００３８】
後端ストッパー２６は、用紙９の後端に沿わされる部材である。なお、用紙９の後端は、用紙収容部２０からの用紙９の送り出し方向の上流側の端である。
【００３９】
第１サイドガイド部材２４および第２サイドガイド部材２５は、ピニオンギヤ２７および一対のラックギヤ２４３，２５３を含むいわゆるラック・アンド・ピニオンの機構によって第１方向Ｄ１に沿って連動してスライド移動する。
【００４０】
図３に示されるように、一対のラックギヤ２４３，２５３の一方は、第１サイドガイド部材２４の第１基部２４１から第１方向Ｄ１に沿って延び出て形成された第１ラックギヤ２４３である。一対のラックギヤ２４３，２５３の他方は、第２サイドガイド部材２５の第２基部２５１から第１方向Ｄ１に沿って延び出て形成された第２ラックギヤ２５３である。
【００４１】
なお、図３は、第１サイドガイド部材２４および第１サイドガイド部材２４に取り付けられた複数の部材からなるサイドカーソルユニット２４０の斜視図である。
【００４２】
第１サイドガイド部材２４が、外側面２４２２から対向面２４２１へ向かう方向の外力を受けると、第１サイドガイド部材２４が第２サイドガイド部材２５に近づく方向へスライド移動し、これに連動して、第２サイドガイド部材２５が第１サイドガイド部材２４に近づく方向へスライド移動する。
【００４３】
同様に、第１サイドガイド部材２４が、対向面２４２１から外側面２４２２へ向かう方向の外力を受けると、第１サイドガイド部材２４が第２サイドガイド部材２５から離れる方向へスライド移動し、これに連動して、第２サイドガイド部材２５が第１サイドガイド部材２４から離れる方向へスライド移動する。
【００４４】
さらに、用紙供給ユニット２には、用紙支持部材２３も取り付けられている（図２参照）。用紙支持部材２３は、用紙供給ユニット２内で用紙９を支持する。用紙支持部材２３は、用紙収容部２０における用紙９の送り出し方向の上流端寄りの位置を支点として上下方向に回動可能に支持されている。
【００４５】
図２に示される例では、用紙支持部材２３の一対の軸部２３ａが、第１方向Ｄ１の両側の側壁部２２によって回転可能に支持されている。用紙支持部材２３は、用紙収容部２０に取り付けられる不図示のバネ、または、本体部１００に設けられた駆動機構により持ち上げられる。
【００４６】
以下の説明において、特定の用紙サイズ規格に対応するサイズの用紙９のことを定型サイズの用紙９と称する。一方、特定の用紙サイズ規格に対応していないサイズの用紙９のことをフリーサイズの用紙９と称する。
【００４７】
ところで、前記定型サイズの用紙９、および、前記フリーサイズの用紙９のいずれが用いられる場合でも、第１サイドガイド部材２４が、用紙収容部２０に収容された用紙９のサイズに応じた適切な位置で係止されることが望ましい。
【００４８】
なお、第１サイドガイド部材２４が係止されれば、第２サイドガイド部材２５が、第１ラックギヤ２４３およびピニオンギヤ２７によって第１サイドガイド部材２４の位置に対応する位置で係止される。
【００４９】
さらに、第１サイドガイド部材２４が、用紙収容部２０に収容された用紙９のサイズに近似する他の用紙サイズに対応する位置で誤って係止されることを回避できることが望ましい。
【００５０】
図３〜１０に示されるように、用紙供給ユニット２は、位置切替部材５、被係止ピン６、変位機構７および係止部配列板８を備える。これにより、用紙供給ユニット２は、用紙９の移動を制限する第１サイドガイド部材２４を、前記定型サイズの用紙９およびフリーサイズの用紙９に対応した位置で選択的に係止することができる。
【００５１】
さらに、用紙供給ユニット２は、第１サイドガイド部材２４が用紙９のサイズに近似する他の用紙サイズに対応する位置で誤って係止されることを回避できる。
【００５２】
図６に示される係止部配列板８は、用紙収容部２０の底板部２１の一部、または、用紙収容部２０の底板部２１に取り付けられた部材である。係止部配列板８は、１つの第１係止配列部８１と、２つの第２係止配列部８２とを有する。
【００５３】
第１係止配列部８１は、第１方向Ｄ１に沿って一定ピッチで連続して形成された複数の第１係止部８１０からなる部分である。後述するように、複数の第１係止部８１０は、前記フリーサイズの用紙９の幅に対応して第１サイドガイド部材２４を係止する。
【００５４】
一方、第２係止配列部８２各々は、第１方向Ｄ１に沿って複数の第１係止部８１０のピッチよりも大きな間隔を隔てて並ぶ複数の第２係止部８２０からなる部分である。後述するように、複数の第２係止部８２０は、前記定型サイズの用紙９の幅に対応して第１サイドガイド部材２４を係止する。通常、複数の第２係止部８２０の間隔は異なる。
【００５５】
第１係止配列部８１および２つの第２係止配列部８２は、それぞれ底板部２１における第２方向Ｄ２の予め定められた位置に設けられている。２つの第２係止配列部８２は、第２方向Ｄ２の第１係止配列部８１の位置とは異なる位置に設けられている。
【００５６】
図６に示される例では、２つの第２係止配列部８２は、第１係止配列部８１に対し第２方向Ｄ２における両隣に設けられている。換言すれば、第１係止配列部８１は、第２方向Ｄ２における２つの第２係止配列部８２の間の位置に設けられている。
【００５７】
第１係止部８１０各々および第２係止部８２０各々は、被係止ピン６の下端部６１を係止し、被係止ピン６の第１方向Ｄ１の動きを制限する。例えば、第１係止部８１０各々および第２係止部８２０各々が、凹部、孔が形成された部分または突起部などである。
【００５８】
図７に示されるように、本実施形態における第１係止部８１０各々は、上下方向に延びて形成された被係止ピン６の下端部６１が挿入される凹部である。なお、第２係止部８２０各々も、第１係止部８１０各々と同じ構造であることが考えられる。
【００５９】
被係止ピン６は、位置切替部材５に取り付けられており、位置切替部材５は、第１サイドガイド部材２４に取り付けられている。そのため、被係止ピン６が第１係止部８１０または第２係止部８２０によって係止されると、第１サイドガイド部材２４の第１方向Ｄ１の動きが制限される。換言すれば、第１サイドガイド部材２４は、被係止ピン６を介して、第１係止部８１０または第２係止部８２０によって係止される。
【００６０】
複数の第１係止部８１０は、第１サイドガイド部材２４を前記フリーサイズの用紙９の幅に対応する位置に係止するために、極力小さなピッチで配列されている。一方、第２係止配列部８２各々において、複数の第２係止部８２０は、特定の用紙サイズ規格に対応する用紙９の幅に対応する位置に設けられている。
【００６１】
また、２つの第２係止配列部８２は、それぞれ異なる用紙サイズ規格に対応している。即ち、第２係止配列部８２各々複数の第２係止部８２０は、第１方向Ｄ１に沿って所定の用紙サイズ規格に対応する位置に並んで形成されている。
【００６２】
例えば、２つの第２係止配列部８２の一方が、日本工業規格におけるセンチメートル系の用紙サイズ規格に対応する複数の第２係止部８２０からなるセンチ系係止配列部８２ａであることが考えられる。また、２つの第２係止配列部８２の他方が、米国国家規格協会の規格におけるインチ系の用紙サイズ規格に対応する複数の第２係止部８２０からなるインチ系係止配列部８２ｂであることが考えられる。
【００６３】
位置切替部材５は、第１サイドガイド部材２４の第１基部２４１に対し、第２方向Ｄ２に沿ってスライド可能に取り付けられている。位置切替部材５は、第２方向Ｄ２における第１係止配列部８１の位置および２つの第２係止配列部８２の位置を含む範囲でスライド可能である。なお、位置切替部材５は、第２スライド部材の一例である。
【００６４】
図３，４に示されるように、第１基部２４１は、位置切替部材５を第２方向Ｄ２に沿ってスライド可能に支持するレール部２４４を有している。また、位置切替部材５は、ピン縦案内部５１および取手部５２を有している。
【００６５】
取手部５２は、人に操作される部分である。位置切替部材５は、取手部５２に加わる外力によって第２方向Ｄ２に沿ってスライド移動する。
【００６６】
ピン縦案内部５１は、被係止ピン６が挿入された筒状の部分である。ピン縦案内部５１は、被係止ピン６を上下方向に沿って案内する。
【００６７】
被係止ピン６は、位置切替部材５に対し、係止位置と退避位置との間で変位可能に取り付けられている。前記係止位置は、第１係止部８１０または第２係止部８２０に係止される位置である（図５，７参照）。より具体的には、前記係止位置は、被係止ピン６の上下方向の変位範囲における下端の位置である。
【００６８】
一方、前記退避位置は、第１係止部８１０および第２係止部８２０から離隔する位置である（図８，９参照）。より具体的には、前記退避位置は、被係止ピン６の上下方向の変位範囲における上端の位置である。なお、被係止ピン６は、第１係止部８１０または第２係止部８２０に係止される被係止部材の一例である。
【００６９】
変位機構７は、第１サイドガイド部材２４に取り付けられている。変位機構７は、人に操作されることによって変位する操作部７１２を含む。変位機構７は、操作部７１２の変位に応じて被係止ピン６を前記係止位置および前記退避位置の一方から他方へ変位させる。
【００７０】
本実施形態おいて、変位機構７は、操作部７１２を含む揺動部材７１と、第１バネ７２と、第２バネ７３とを含む。
【００７１】
揺動部材７１は、第１サイドガイド部材２４の第１壁部２４２における外側面２４２２に揺動可能に取り付けられている。揺動部材７１は、操作部７１２と、変位制限部７１３と、軸部７１１とを含む。軸部７１１は、第１サイドガイド部材２４における操作部７１２と変位制限部７１３との間の部分に形成されている。
【００７２】
軸部７１１は、第１壁部２４２の外側面２４２２に形成された軸受部２４５によって回転可能に支持されている。従って、揺動部材７１が軸部７１１を中心にして回動することにより、揺動部材７１の操作部７１２および変位制限部７１３が、第１壁部２４２の外側面２４２２に対して近接または離隔する方向に変位する（図５，８参照）。
【００７３】
揺動部材７１が揺動することにより、操作部７１２は、第１壁部２４２の外側面２４２２から離れた第１位置と前記第１位置よりも外側面２４２２に近づく第２位置との間で変位する。
【００７４】
図５は、操作部７１２が前記第１位置に位置する状態を示し、図８は、操作部７１２が前記第２位置に位置する状態を示す。
【００７５】
操作部７１２が前記第１位置に存在するときに、変位制限部７１３は第１壁部２４２の外側面２４２２に近接した位置に存在し、操作部７１２が前記第２位置に存在するときに、変位制限部７１３は外側面２４２２から離隔した位置に存在する（図５，８参照）。
【００７６】
第１バネ７２は、揺動部材７１に弾性力を加えることにより、操作部７１２を前記第１位置に保持する。なお、第１バネ７２は、第１弾性部材の一例である。第１バネ７２の代わりにゴム部材などが採用されることも考えられる。
【００７７】
第２バネ７３は、被係止ピン６に対して前記係止位置から前記退避位置へ向かう方向へ弾性力を加える。前記係止位置から前記退避位置へ向かう方向は、上方向である。第２バネ７３は、第２弾性部材の一例である。第２バネ７３の代わりにゴム部材などが採用されることも考えられる。
【００７８】
変位制限部７１３は、被係止ピン６の頭頂部６２に当接することにより、第２バネ７３の弾性力に抗して被係止ピン６の上方への変位範囲を制限する。
【００７９】
図５に示されるように、操作部７１２が前記第１位置に位置するときに、変位制限部７１３の第１当接面７１３１が、被係止ピン６の頭頂部６２に当接することにより、被係止ピン６を前記係止位置に保持する。
【００８０】
一方、図８に示されるように、操作部７１２が前記第２位置に位置するときに、変位制限部７１３は、上方へ変位することにより、被係止ピン６の前記退避位置への変位を許容する。但し、変位制限部７１３の第２当接面７１３２が、被係止ピン６の頭頂部６２に当接することにより、被係止ピン６がピン縦案内部５１から抜けないように、被係止ピン６の上方への変位範囲を制限する。
【００８１】
即ち、第１バネ７２の弾性力に抗して操作部７１２を前記第２位置へ変位させる外力Ｆ０が操作部７１２に加わることにより、揺動部材７１が揺動する（図８参照）。この揺動部材７１の揺動に応じて、第２バネ７３および変位制限部７１３は、被係止ピン６を前記係止位置から前記退避位置へ変位させる。
【００８２】
被係止ピン６が前記退避位置に変位している状態において、第１サイドガイド部材２４を第１方向Ｄ１に沿って任意の位置へ移動させることができる。
【００８３】
また、操作部７１２に対する操作が解除されると、第１バネ７２の弾性力によって操作部７１２が前記第２位置から前記第１位置へ戻り、被係止ピン６が前記退避位置から前記係止位置へ戻る。
【００８４】
従って、第１壁部２４２の対向面２４２１が用紙９の側端に沿う状態で操作部７１２に対する操作が解除され、被係止ピン６の下端部６１が第１係止部８１０または第２係止部８２０によって係止されると、第１サイドガイド部材２４および第２サイドガイド部材２５の第１方向Ｄ１の位置が固定される。
【００８５】
なお、第２バネ７３および変位制限部７１３は、揺動部材７１の揺動に応じて被係止ピン６を前記係止位置から前記退避位置へ変位させるリンク機構の一例である。
【００８６】
前述したように、操作部７１２が、第１バネ７２によって第１壁部２４２の外側面２４２２から離れた前記第１位置に保持されている。そのため、ユーザーは、操作部７１２と第１壁部２４２とを一緒に摘まむ操作により、容易に操作部７１２を前記第１位置から前記第２位置へ変位させることができる。
【００８７】
また、図６，７，９に示されるように、第１係止配列部８１は、第１方向Ｄ１に沿って形成された第１ピン制限壁８１１を有する。同様に、第２係止配列部８２各々も、第１方向Ｄ１に沿って形成された第２ピン制限壁８２１を有する。
【００８８】
第１ピン制限壁８１１および第２ピン制限壁８２１は、被係止ピン６が前記係止位置および前記待避位置のいずれに位置するかに関わらず、被係止ピン６の第２方向Ｄ２における移動を制限し、被係止ピン６を第１方向Ｄ１に沿って案内する。
【００８９】
図４に示される例では、被係止ピン６は、第１方向Ｄ１の幅よりも第２方向Ｄ２の幅の方が大きく形成されている。第１ピン制限壁８１１および第２ピン制限壁８２１は、ピン６における第２方向Ｄ２の両端面６３を第１方向Ｄ１に沿って案内する。
【００９０】
第１ピン制限壁８１１および第２ピン制限壁８２１は、第１サイドガイド部材２４を第１方向Ｄ１に沿って移動させる操作が行われているときに、被係止ピン６が第２方向Ｄ２に位置ずれしてしまうことを防ぐ。
【００９１】
図６，１０に示されるように、係止部配列板８は、被係止ピン６の第２方向Ｄ２の移動を案内するピン案内部８３を有する。ピン案内部８３は、第１方向Ｄ１における第１係止配列部８１および第２係止配列部８２のいずれも存在しない領域に設けられている。
【００９２】
ピン案内部８３は、被係止ピン６が挿入される第２方向Ｄ２に沿う溝状の部分である（図１０参照）。ピン案内部８３は、第２方向Ｄ２における第１係止配列部８１の位置および２つの第２係止配列部８２の位置を含む範囲に形成されている。
【００９３】
また、図６，１０に示されるように、溝状のピン案内部８３は、第１係止配列部８１の位置と２つの第２係止配列部８２の位置とを仕切る区画壁８３１を有している。区画壁８３１は、前記係止位置の被係止ピン６が第１係止配列部８１の位置および第２係止配列部８２の位置の一方から他方へ移動することを制限するが、前記待避位置の被係止ピン６の第２方向Ｄ２の移動を制限しない（図１０参照）。
【００９４】
従って、操作部７１２に対する操作によって被係止ピン６が前記待避位置に保持された状態で、第１サイドガイド部材２４が、被係止ピン６がピン案内部８３の位置に到達するまで第１方向Ｄ１に沿って移動された後に、位置切替部材５を第２方向Ｄ２に沿ってスライド移動させることができる。
【００９５】
前記定型サイズの用紙９が用いられる場合、外力Ｆ０が操作部７１２に加えられることによって操作部７１２が前記第２位置へ変位した状態で、位置切替部材５が、用紙９のサイズ規格に対応する第２係止配列部８２の位置へスライド移動される。
【００９６】
一方、前記フリーサイズの用紙９が用いられる場合、外力Ｆ０が操作部７１２に加えられることによって操作部７１２が前記第２位置へ変位した状態で、位置切替部材５が、第１係止配列部８１の位置へスライド移動される。なお、位置切替部材５のスライド移動は、取手部５２に対する操作によって行われる。
【００９７】
上記のように、位置切替部材５の第２方向Ｄ２の位置変更により、前記定型サイズの用紙９が用いられる場合、および、前記フリーサイズの用紙９が用いられる場合のいずれにおいても、第１サイドガイド部材２４を、用紙９のサイズに応じた適切な位置で係止することができる。
【００９８】
また、位置切替部材５のスライド移動により、被係止ピン６の第２方向Ｄ２の位置が、第１係止配列部８１の位置および２つの第２係止配列部８２の位置のうちのいずれかに移動する。
【００９９】
従って、第１サイドガイド部材２４が、用紙収容部２０に収容された用紙９のサイズに近似する他の用紙サイズに対応する位置で誤って係止されることがない。
【０１００】
なお、第１ピン制限壁８１１および第２ピン制限壁８２１が形成されない構成も考えられる。この場合、第１サイドガイド部材２４の第１方向Ｄ１における位置に関わらず、位置切替部材５を第２方向Ｄ２に沿ってスライド移動させることができる。
【０１０１】
[応用例]
以上に示された用紙供給ユニット２の構成が、画像形成装置１０の手差しトレイ２Ａに適用されることも考えられる（図１参照）。また、サイドカーソルユニット２４０および係止部配列板８の構成が、後端ストッパー２６に適用されることも考えられる。
【符号の説明】
【０１０２】
１        ：画像読取装置
２        ：用紙供給ユニット
２Ａ      ：手差しトレイ
３        ：用紙搬送機構
４        ：作像装置
５        ：位置切替部材
６        ：被係止ピン
７        ：変位機構
８        ：係止部配列板
９        ：用紙
１０      ：画像形成装置
２０      ：用紙収容部
２１      ：底板部
２２      ：側壁部
２３      ：用紙支持部材
２３ａ    ：軸部
２４      ：第１サイドガイド部材
２５      ：第２サイドガイド部材
２６      ：後端ストッパー
２７      ：ピニオンギヤ
３０      ：用紙搬送路
４０      ：プリント装置
４１      ：感光体
４２      ：帯電装置
４３      ：現像装置
４４      ：転写装置
４５      ：定着装置
４６      ：光走査ユニット
５１      ：ピン縦案内部
５２      ：取手部
６１      ：下端部
６２      ：頭頂部
７１      ：揺動部材
７２      ：第１バネ
７３      ：第２バネ
８１      ：第１係止配列部
８２      ：第２係止配列部
８２ａ    ：センチ系係止配列部
８２ｂ    ：インチ系係止配列部
８３      ：ピン案内部
９０      ：原稿
１００    ：本体部
２４０    ：サイドカーソルユニット
２４１    ：第１基部
２４２    ：第１壁部
２４３    ：第１ラックギヤ
２４４    ：レール部
２４５    ：軸受部
２５１    ：第２基部
２５２    ：第２壁部
２５３    ：第２ラックギヤ
７１１    ：軸部
７１２    ：操作部
７１３    ：変位制限部
８１０    ：第１係止部
８１１    ：第１ピン制限壁
８２０    ：第２係止部
８２１    ：第２ピン制限壁
８３１    ：区画壁
２４２１  ：対向面
２４２２  ：外側面
２５２１  ：対向面
７１３１  ：第１当接面
７１３２  ：第２当接面
Ｄ１      ：第１方向
Ｄ２      ：第２方向
Ｆ０      ：外力
【図１】
2020040737.tif 000003
【図２】
2020040737.tif 000004
【図３】
2020040737.tif 000005
【図４】
2020040737.tif 000006
【図５】
2020040737.tif 000007
【図６】
2020040737.tif 000008
【図７】
2020040737.tif 000009
【図８】
2020040737.tif 000010
【図９】
2020040737.tif 000011
【図１０】
2020040737.tif 000012